【手続補正書】
【提出日】平成15年10月11日(2003.10.11)
【手続補正１】
【補正対象書類名】明細書
【補正対象項目名】発明の名称
【補正方法】変更
【補正の内容】
【発明の名称】植生用培地基材、植生用培地成形体及びその製造方法、植生用培地成形体ブロックを用いる緑化方法。


【手続補正２】
【補正対象書類名】明細書
【補正対象項目名】特許請求の範囲
【補正方法】変更
【補正の内容】
【特許請求の範囲】
【請求項１】
炭化物粉粒体と、予め水硬性の固結化材に粘土系鉱物の粉粒体をプレー混合させた強化固結化材の粉粒体と、木質チップ材と、天然及び／叉は合成の繊維質部材と、保水材とを主培地配合材として含有していることを特徴とする植生用培地基材。
【請求項２】
礫質培土の粉粒体が、前記炭化物粉粒体叉は前記強化固結化材の粉粒体の何れかに予めプレー混合されていることを特徴とする請求項１に記載の植生用培地基材。
【請求項３】
前記主培地配合材が、炭化物粉粒体１００重量部当たり、予め水硬性の固結化材２５〜１５０重量部に粘土系鉱物の粉粒体５０〜２００重量部をプレー混合させた強化固結化材の粉粒体と、木質チップ材２５〜１５０重量部と、天然及び／叉は合成の繊維質部材５〜５０重量部と、保水材０．５〜２５重量部とを含有していることを特徴とする請求項１に記載の植生用培地基材。
【請求項４】
前記主培地配合材が、炭化物粉粒体１００重量部当たり、予め水硬性の固結化材３０〜７５重量部に粘土系鉱物の粉粒体２０〜１００重量部と礫質培土の粉粒体１０〜５０重量部とをプレー混合させた強化固結化材の粉粒体と、木質チップ材７５〜１５０重量部と、天然及び／叉は合成の繊維質部材３〜３０重量部と、保水材１〜５０重量部とを含有していることを特徴とする請求項２に記載の植生用培地基材。
【請求項５】
前記炭化物粉粒体が、建築木質廃材の炭化物、籾殻，稲ワラの炭化物、製材クズ材，林業及び庭園業の廃材である間伐材，剪定枝，抜根材，間伐竹の炭化物の郡から選ばれる少なくとも１種であることを特徴とする請求項１〜４の何れかに記載の植生用培地基材。
【請求項６】
前記水硬性の固結化材が、マグネシア系であって、水和硬化時のＰＨが１１以下であることを特徴とする請求項１〜５の何れかに記載の植性用培地基材。
【請求項７】
前記粘土系鉱物粉粒体が、珪藻土、ベントナイト、酸性白土、カオリンから選ばれる少なくとも１種であることを特徴とする請求項１〜６の何れかに記載の植生用培地基材。
【請求項８】
前記礫質培土が、塩基置換性の焼成発泡煉錬石の粉粒体であることを特徴とする請求項１〜７の何れかに記載の植生用培地基材。
【請求項９】
肥料配合材が、化成肥料叉はバーク堆肥の単独叉はその混合物０．５〜７５重量部を含有することを特徴とする請求項１〜８の何れかに記載の植生用培地基材。
【請求項１０】
前記保水材が、有機質の架橋ポリアクリルアミド類、無機質のパーライト、ベントナイト、バーミキュライト、天然ゼオライトから選ばれる少なくとも１種であることを特徴とする請求項１〜９の何れかに記載の植生用培地基材。
【請求項１１】
前記木質チップ材が、椰子ガラのチップ及び／叉は木質チップで、前記繊維質部材が、ピートモス、草炭、椰子繊維及び光分解性合成繊維から選ばれる少なくとも１種であることを特徴とする請求項１〜１０の何れかに記載の植生用培地基材。
【請求項１２】
前記主培地配合材を含有する培地基材の水和賦形化後のＰＨが、５〜９の範囲にあることを特徴とする請求項１〜１１の何れかに記載の植生用培地基材。
【請求項１３】
請求項１、４〜１２の何れかに記載する植生用培地基材を用いて植物の植生に適した耐水性、保水性、透水性、通気性、保肥性を有し、且つ全体が弾性体である植生用培地成形体の製造方法において、
前記植生用培地基材の主配合材として、炭化物粉粒体１００重量部当たり、予め水硬性の固化材２５〜１５０重量部に、粘土系鉱物の粉粒体５０〜２００重量部をプレー混合させた強化固結化材の粉粒体と、木質チップ材２５〜１５０重量部と、天然及び／叉は合成の纎維質部材５〜５０重量部と、保水材０．５〜２５重量部とを含む混合粉粒体を調製し、
前記混合粉粒体中には、その全固形分当たり２０〜１００重量部（比率）の添加水によって、全体が均一な含水物に混練されている含水混練物を、風乾及び／叉は乾燥下に所定の定形物の賦形化体にさせ、
て前記賦形化体に弾性と、形体保持性とを賦与させることを特徴とする植生用培地成形体の製造方法。
【請求項１４】
請求項２叉は３に記載する植生用培地基材を用いて植物の植生に適した耐水性、保水性、透水性、通気性、保肥性を有し、且つ全体が弾性体である植生用培地成形体の製造方法において、
前記植生用培地基材の主配合材として、炭化物粉粒体１００重量部当たり、予め水硬性の固化材３０〜７５重量部に、粘土系鉱物の粉粒体２５〜１００重量部と礫質培土の粉粒体１０〜５０重量部とをプレー混合させた強化固結化材の粉粒体と、木質チップ材７５〜１５０重量部と、天然及び／叉は合成の纎維質部材３〜３０重量部と、保水材１〜５０重量部とを含む混合粉粒体を調製し、
前記混合粉粒体中には、その全固形分当たり３０〜８０重量部（比率）の添加水によって、全体が均一な含水物に混練されている含水混練物を、風乾及び／叉は乾燥下に所定の定形物の賦形化体にさせ、
て前記賦形化体に弾性と、形体保持性とを賦与させることを特徴とする植生用培地成形体の製造方法。
【請求項１５】
前記木質チップ材と前記炭化物粉粒体と前記肥料を含有する乾式混合系に、前記所定量の添加水によって混練されてなる含水混練物に、前記天然及び／叉は合成の繊維質部材を分散混合させた後、前記強化固結化材の粉粒体を混合させ、次いで、保水材を混合させることを特徴とする請求項１３に記載の植生用培地成形体の製造方法。
【請求項１６】
前記添加水が、鉱酸水溶液であることを特徴とする請求項１３〜１５の何れかに記載の植生用培地成形体の製造方法。
【請求項１７】
前記含水混練物を、押出し造粒下に粒状の賦形化体にすることを特徴とする請求項１３〜１６の何れかに記載の植生用培地成形体の製造方法。
【請求項１８】
請求項１７に記載する製造方法で得られる植生用培地成形体を、粒状に賦形化させる前の前記含水混練物中に、予め雑草類種子、叉は木本種子及び／叉は草花本種子を含有させた後、水和硬化下に粒状の賦形化体にさせてなる粒状培地成形体が、道路法面、道路中央分離帯、河川護岸面、海岸砂防林、砂漠化防止帯、各種ガーデニングの何れかに用いる植物を植生させることを特徴とする緑化用粒状植生培地。
【請求項１９】
前記含水混練物を、各種形状の型枠に流し込み加圧下に賦形化させて各種の定形の賦形化体にすることを特微とする請求項１３〜１５の何れかに記載の植生用培地成形体の製造方法。
【請求項２０】
前記定形の賦形化体は、賦形化される前に予めその上部面に雑草類種子、叉は木本種子及び／叉は草花本種子を着床させていることを特徴とする請求項１９に記載の植生用培地成形体の製造方法。
【請求項２１】
前記定形の賦形化体が、三〜八多角形の角柱状叉は板状、或いは円柱状叉は円盤状の何れかであることを特徴とする請求項１９又は２０に記載の植生用培地成形体の製造方法。
【請求項２２】
前記定形の賦形化体の厚さが、１０〜３００ｍｍの範囲にあることを特徴とする請求項２１に記載の植生用培地成形体の製造方法。
【請求項２３】
請求項１３〜１６、１９〜２２何れかに記載する製造方法で得られる定形成形体である植生用培地成形体の見掛比重が、３００〜８００ｇ／ｌの範囲にある柔軟性を有する賦形化体であることを特徴とする植生用培地成形体。
【請求項２４】
請求項１３〜１６、１９〜２２の何れかに記載する製造方法で得られる定形成形体である植生用培地成形体の厚さ方向の弾性率が、圧縮応力−歪曲線プロファイルの勾配として得られるバネ定数（ｋ）で表して、ｋ＝２００〜１，０００ｋｇ／ｍｍの範囲にある弾性賦形化体であることを特徴とする請求項２３に記載の植生用培地成形体。
【請求項２５】
請求項１３〜１６、１９〜２２の何れかに記載する製造方法で得られる定形成形体である植生用培地成形体が、水浸漬−１００℃乾燥の１０回サイクルの熱ショック試験下に、崩壊叉は厚さ方向表面の粉立及び／叉は粉落ちが、ほぼゼロである耐形体保持性を有する弾性賦形化体であることを特徴とする請求項２３叉は２４に記載の植生用培地成形体
【請求項２６】
請求項２３〜２５の何れかに記載する植生用培地としての前記定形成形体が、その厚さ方向に鋸叉はカッターで自在に切断される２次加工性を有していることを特徴とする植生用培地成形体。
【請求項２７】
請求項２３〜２６の何れかに記載する植生用培地としての前記定形成形体が、コンクリート製ブロック、木製ブロック、金属製ブロック及びプラスチック製ブロックから選ばれる少なくとも１種のブロック枠内外に、一体化物として支持固定されていることを特徴とする植生用培地成形体ブロック。
【請求項２８】
請求項２７に記載する植生用培地成形体ブロックを用いて、高速道路、新幹線及び高架電車線路沿いに敷設の防音壁面、道路法面、道路の中央分離帯、河川護岸面、海浜護岸面、砂防林面、砂漠化防止帯、高層マンション又はビル屋上及び各種の広場郡から選ばれる何れかの垂直面、傾斜面及び水平面を、効果的に緑化させるために植物を植生させることを特徴とする緑化方法。
【手続補正３】
【補正対象書類名】明細書
【補正対象項目名】００２４
【補正方法】変更
【補正の内容】
【００２４】
【発明の実施の形態】
以下に、本発明による緑化に適する植生用培地基材及びこの基材を用いた培地基材成形体、更にはこの成形体を植生用培地成形体ブロックとして緑化方法に有効に用いる実施の形態を更に説明する。


【手続補正４】
【補正対象書類名】明細書
【補正対象項目名】００２５
【補正方法】変更
【補正の内容】
【００２５】
既に上述したした如くの部材を組合わせてなる本発明による植生用培地基材は、水和硬化下に緑化のために植生をするに適した、保水性、透水性、通気性、保肥生を有し、しかも、水和硬化下に容易に造粒叉は型枠下に定形に賦形化できることが特徴である。
また、このようにして賦形化させるに際して、予め雑草類種子、木本種子及び／叉は草花本種子を培地基材中に含有させて粒状化させるか、賦形化成形体表面上に予めばら蒔き着床させた賦形化成形体にすることができ、または、緑化施工に際して現場に敷設された培地成形体上に、これらの種子類を撤布させて着床させられることから、これらを用いて緑化を施されるべき緑化適地が、既設叉は新設をとわずに、公知叉は新規な各種の縁化施工法に係わって効果的、且つ有効に緑化施工に用いられることが特徴とする植生用培地基材及びそれを用いてなる種々の形状に賦形化されることを特徴とする植生培地成形体を提供できる。


【手続補正５】
【補正対象書類名】明細書
【補正対象項目名】００４９
【補正方法】変更
【補正の内容】
【００４９】
【実施例】
以下に本発明を実施例で説明するが、本発明はこれらにいささかも限定されるものではない。なお、本発明で用いる植生用培地成形体の評価方法は以下の通りである
＜耐水性＞
成型体を略１ヶ月間の静置水浸漬下において、崩壊・クズレを起こさず、形体が保持されている。また、略１ヶ月間の水道水を流通させる水浸漬下において、クズレ、泥流化を起こさず、形体が保持されている。◎印優良、○良、略良△、×不可として評価した。
＜形体賦形性＞
成形体を水浸漬−１１０℃乾燥の熱ショックの１０回サイクル試験下に、クズレ、崩壊、著しい変形、表面の粉落ち及び／叉は粉立ちを起こさず、しかも、柔軟性を保持する耐久性を有している。◎印優良、○良、略良△、×不可として評価した。
＜保水性＞
成形体を水浸漬−１１０℃乾燥の１０回サイクル試験下に、その含水量が略一定（含水量：４０〜６５％）の水準を保持しているものである。このようなサイクル試験下に一定の保水性を発揮させる有無を、○良、×不可として評価した。
＜賦形化体の弾力性＞
形体である植生用培地成形体の厚さ方向の弾性率を、島津製のＡｕｔｏ  ＧｒａｐｈＡＧ−５０ＫＮＧを用いて、圧縮応力−歪曲線プロファイルの直線部分の勾配として得られるバネ定数（ｋ）（ｋｇ／ｍｍ）で評価した。なお、表−１には、目視観察下に、指圧による明確なクッション性を有するものを有り無しで評価した。また、各供試体から５０ｍｍ×５０ｍｍ円筒状の切体を調製し、山中式土壌硬度計（藤原製作所製）を用いて硬度（ｍｍ）を測定した。
＜２次加工性＞
成型体はコンクリートブロックと一体化するために、穴あけや切断などに対し
ても十分な賦形化強度を有する。○良、×不可として評価した。
以上